【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
文書テンプレートの定義に従い、コンテンツをそれぞれコンテナに挿入して電子文書を生成する情報処理方法であって、
ユーザごとに、前記コンテナまたはコンテントの未読・既読状態を管理する管理ステップと、
前記コンテナまたは前記コンテントの未読・既読状態に応じて、当該コンテナまたは当該コンテントを挿入するコンテナの表示の優先度を設定する設定ステップと、
前記表示の優先度に応じて複数のコンテナを配置した電子文書を生成する生成ステップとを有することを特徴とする情報処理方法。
【請求項２】
前記管理ステップは、ユーザの最終閲覧日時と、前記コンテナまたは前記コンテントの最終更新日時に従い、前記未読・既読状態を管理することを特徴とする請求項1に記載された情報処理方法。
【請求項３】
前記設定ステップは、前記未読状態のコンテントに対応するコンテナの前記表示の優先度を高く設定することを特徴とする請求項1または請求項2に記載された情報処理方法。
【請求項４】
前記生成ステップは、前記表示の優先度が高いコンテナを優先配置することを特徴とする請求項1から請求項3の何れか一項に記載された情報処理方法。
【請求項５】
前記管理ステップは、任意のユーザによって任意のコンテントが変更された場合、前記変更を行ったユーザ以外のユーザの、前記コンテントに対する前記未読・既読状態を未読に変更することを特徴とする請求項1から請求項4の何れか一項に記載された情報処理方法。
【請求項６】
さらに、前記生成した電子文書を表示する表示ステップと、
前記表示された電子文書において未読状態のコンテナまたはコンテントが既読状態に変更された場合、当該コンテナまたは当該コンテントが挿入されたコンテナの前記表示の優先度を変更する変更ステップと、
前記変更された表示の優先度に応じて前記複数のコンテナを再配置する再配置ステップとを有することを特徴とする請求項1から請求項5の何れか一項に記載された情報処理方法。
【請求項７】
さらに、前記電子文書の閲覧を要求したユーザに前記電子文書を供給する供給ステップを有することを特徴とする請求項1から請求項6の何れか一項に記載された情報処理方法。
【請求項８】
前記管理ステップは、前記ユーザによる前記電子文書の閲覧、または、前記ユーザによる前記未読状態のコンテナまたは前記コンテントが挿入されたコンテナの既読状態への変更指示により、当該コンテナまたは当該コンテントの前記未読・既読状態を既読にすることを特徴とする請求項7に記載された情報処理方法。
【請求項９】
さらに、任意のコンテナまたはコンテントの前記未読・既読状態が既読に変化した場合、当該コンテントを閲覧したユーザ、当該コンテントを変更したユーザを特定する特定ステップと、
前記特定した、コンテントの閲覧ユーザにより前記コンテンツの前記未読・既読状態が既読に変更された旨を、前記特定した、コンテントの変更ユーザに通知する通知ステップとを有することを特徴とする請求項4から請求項8に記載された情報処理方法。
【請求項１０】
さらに、任意のコンテナまたはコンテントの前記未読・既読状態が未読に変化した場合、当該コンテントを変更したユーザを特定する特定ステップと、
任意のコンテナまたはコンテントの前記未読・既読状態が未読に変化した旨を通知するユーザの管理情報、並びに、前記特定した、コンテントの変更ユーザに基づき、通知を行うユーザを選択する選択ステップと、
前記選択したユーザに前記コンテントの変更を通知する通知ステップとを有することを特徴とする請求項8に記載された情報処理方法。
【請求項１１】
前記通知は、前記変更されたコンテントの内容および前記通知を特定する特定情報を含むことを特徴とする請求項9または請求項10に記載された情報処理方法。
【請求項１２】
さらに、前記特定情報を含む、前記通知に対する返信を受信する受信ステップと、
前記返信が含む前記特定情報に応じたユーザ、および、コンテナまたはコンテントの前記未読・既読状態を既読に変更する変更ステップとを有することを特徴とする請求項11に記載された情報処理方法。
【請求項１３】
さらに、前記ユーザの役割ごとに、前記コンテントの重要度を当該コンテントが挿入されるコンテナの重要度として管理するステップを有し、
前記生成ステップは、前記表示の優先度および前記重要度に応じて前記複数のコンテナを配置することを特徴とする請求項1から請求項7の何れか一項に記載された情報処理方法。
【請求項１４】
さらに、前記ユーザごとに、前記コンテナまたはコンテントの前記未読・既読状態が未読に変化した変更日時を管理するステップを有し、
前記生成ステップは、前記変更日時と現在日時の差分および前記表示の優先度に応じて前記複数のコンテナを配置することを特徴とする請求項1から請求項7の何れか一項に記載された情報処理方法。
【請求項１５】
前記生成ステップは、前記未読への変化がより新しいコンテントを挿入するコンテナを優先配置することを特徴とする請求項14に記載された情報処理方法。
【請求項１６】
さらに、任意のユーザから前記電子文書の印刷要求を受け付け、前記未読・既読状態が未読のコンテンツまたは前記未読・既読状態が未読のコンテントを挿入したコンテナを配置した文書の印刷データを生成するステップを有することを特徴とする請求項1から請求項7の何れか一項に記載された情報処理方法。
【請求項１７】
さらに、任意のユーザから前記電子文書の印刷要求を受け付け、前記未読・既読状態が未読のコンテンツまたは前記未読・既読状態が未読のコンテントを挿入したコンテナ、および、印刷が必須のコンテンツを配置した文書の印刷データを生成するステップを有することを特徴とする請求項1から請求項7の何れか一項に記載された情報処理方法。
【請求項１８】
コンテンツデータに対してユーザごとに、未読・既読を示す情報を管理し、
ユーザ情報を入力し、
前記入力したユーザ情報と、前記管理する未読・既読を示す情報から、コンテナに挿入するコンテンツデータが未読と判定した場合、前記コンテンツデータを挿入するコンテナを優先的に配置した電子文書を生成することを特徴とする情報処理方法。
【請求項１９】
さらに、任意のユーザによって任意のコンテンツデータが変更された場合、当該コンテンツデータを変更したユーザ以外のユーザの、前記コンテンツデータに対する前記未読・既読を示す情報を未読に変更することを特徴とする請求項18に記載された情報処理方法。
【請求項２０】
さらに、前記ユーザによる前記コンテンツデータの閲覧、または、前記ユーザによる、未読のコンテンツデータの既読への変更指示により、当該コンテンツデータの前記未読・既読を示す情報を既読にすることを特徴とする請求項18または請求項19に記載された情報処理方法。
【請求項２１】
文書テンプレートの定義に従い、コンテンツをそれぞれコンテナに挿入して電子文書を生成する情報処理装置であって、
ユーザごとに、コンテナまたはコンテントの未読・既読状態を管理する管理手段と、
前記コンテナまたは前記コンテントの未読・既読状態に応じて、当該コンテナまたは当該コンテントを挿入するコンテナの表示の優先度を設定する設定手段と、
前記表示の優先度に応じて複数のコンテナを配置した電子文書を生成する生成手段とを有することを特徴とする情報処理装置。
【請求項２２】
コンテンツデータに対してユーザごとに、未読・既読を示す情報を管理する管理手段と、
ユーザ情報を入力する入力手段と、
前記入力手段が入力したユーザ情報と、前記管理手段が管理する未読・既読を示す情報から、コンテナに挿入するコンテンツデータが未読と判定した場合、前記コンテンツデータを挿入するコンテナを優先的に配置した電子文書を生成する生成手段とを有することを特徴とする情報処理装置。
【請求項２３】
情報処理装置を制御して、請求項1から請求項20の何れか一項に記載された情報処理を実行することを特徴とするプログラム。
【請求項２４】
請求項23に記載されたプログラムが記録されたことを特徴とするコンピュータが読み取り可能な記録媒体。
【手続補正２】
【補正対象書類名】明細書
【補正対象項目名】００１３
【補正方法】変更
【補正の内容】
【００１３】
本発明にかかる情報処理は、文書テンプレートの定義に従い、コンテンツをそれぞれコンテナに挿入して電子文書を生成する際に、ユーザごとに、前記コンテナまたはコンテントの未読・既読状態を管理し、前記コンテナまたは前記コンテントの未読・既読状態に応じて、当該コンテナまたは当該コンテントを挿入するコンテナの表示の優先度を設定し、前記表示の優先度に応じて複数のコンテナを配置した電子文書を生成することを特徴とする。
【手続補正３】
【補正対象書類名】明細書
【補正対象項目名】００１４
【補正方法】変更
【補正の内容】
【００１４】
また、コンテンツデータに対してユーザごとに、未読・既読を示す情報を管理し、ユーザ情報を入力し、前記入力したユーザ情報と、前記管理する未読・既読を示す情報から、コンテナに挿入するコンテンツデータが未読と判定した場合、前記コンテンツデータを挿入するコンテナを優先的に配置した電子文書を生成することを特徴とする。